(57)【要約】      （修正有）【課題】召合わせ側の縦部材を除く三方枠状の部材にパネルを取り付けた障子が、召合わせ框や方立などを有せずともパネルに受ける風圧に十分に抗することができる障子の提供を目的としている。【解決手段】パネル１０４と、上下框１０１，１０２及び戸当り框１０３と、上框端部キャップ１０５及び下框端部キャップ１０６とを備え、上下框及び戸当り框は、パネル縁部の取付け凹部１４８ａ，１４８ｂ，１４８ｃを有しパネルに取付けてあると共に、上下框の端部に戸当り框が固定してあり、上框端部キャップ及び下框端部キャップは、上框及び下框の召合わせ側端部１１９にそれぞれ固定してあると共に、パネル縁部の取付け凹部を有しパネルに取り付けてあり、上框端部キャップ及び下框端部キャップの取付け凹部内の室外側側壁１３４ａ，１３４ｃ及び室内側側壁１３４ｂ，１３４ｄには、パネルの見付面を受ける湾曲状の受け部を設けてあることを特徴とする。【選択図】図１
2007191937.tif 000002
【特許請求の範囲】
【請求項１】
パネルと、上下框及び戸当り框と、上框端部キャップ及び下框端部キャップとを備え、上下框及び戸当り框は、パネル縁部の取付け凹部を有しパネルに取付けてあると共に、上下框の端部に戸当り框が固定してあり、上框端部キャップ及び下框端部キャップは、上框及び下框の召合わせ側端部にそれぞれ固定してあると共に、パネル縁部の取付け凹部を有しパネルに取り付けてあり、上框端部キャップ及び下框端部キャップの取付け凹部内の室外側側壁及び室内側側壁には、パネルの見付面を受ける湾曲状の受け部を設けてあることを特徴とする障子。
【請求項２】
パネルと、上下框及び縦枠と、上框端部キャップ及び下框端部キャップとを備え、上下框及び縦枠は、パネル縁部の取付け凹部を有しパネルに取付けてあると共に、上框は上枠に下框は下枠にそれぞれ固定してあり、上框端部キャップ及び下框端部キャップは、上框及び下框の召合わせ側端部にそれぞれ固定してあると共に、パネル縁部の取付け凹部を有しパネルに取り付けてあり、上框端部キャップ及び下框端部キャップの取付け凹部内の室外側側壁及び室内側側壁には、パネルの見付面を受ける湾曲状の受け部を設けてあることを特徴とする障子。
【請求項３】
パネルは、透光性の板状部と、板状部の召合わせ側縦縁部の室外側面及び室内側面の少なくともいずれか一方の側に、その上下方向に設けた透光性の補強部とからなり、湾曲状の受け部が、補強部の見付面を受けることを特徴とする請求項1又は２記載の障子。
【発明の詳細な説明】
【技術分野】
【０００１】
本発明は、召合わせ側の縦部材を除く三方枠状の部材にパネルを取り付けた障子に関する。
【背景技術】
【０００２】
特開平７−１９７７４８号公報に開示される引き違い窓のように、上框と下框と召合わせ框とからなる三方框組部材にパネルを嵌合する引戸障子の召合わせ框を、それぞれ縦枠側に位置させて、窓中央部に框をなくして開放感をもたせるものがあるが、ガラスパネルの場合、パネルに風を受けたとき、パネルは湾曲するが窓中央部の框をなくした側のパネルの固定部（保持部）は、パネルの変形に追従できず、端部の上下框と当たる境目部分に応力が集中することでパネルにヒビが入り割れることがあり、風圧に対する耐久性に劣る問題点があった。
【特許文献１】特開平７−１９７７４８号公報
【発明の開示】
【発明が解決しようとする課題】
【０００３】
本発明は以上に述べたような実情に鑑み、召合わせ側の縦部材を除く三方枠状の部材にパネルを取り付けた障子が、召合わせ框や方立などを有せずともパネルに受ける風圧に十分に抗することができる障子の提供を目的としている。
【課題を解決するための手段】
【０００４】
上記の課題を達成するために本発明による請求項１に係る障子は、パネルと、上下框及び戸当り框と、上框端部キャップ及び下框端部キャップとを備え、上下框及び戸当り框は、パネル縁部の取付け凹部を有しパネルに取付けてあると共に、上下框の端部に戸当り框が固定してあり、上框端部キャップ及び下框端部キャップは、上框及び下框の召合わせ側端部にそれぞれ固定してあると共に、パネル縁部の取付け凹部を有しパネルに取り付けてあり、上框端部キャップ及び下框端部キャップの取付け凹部内の室外側側壁及び室内側側壁には、パネルの見付面を受ける湾曲状の受け部を設けてあることを特徴とする。
【０００５】
本発明による請求項２に係る障子は、パネルと、上下框及び縦枠と、上框端部キャップ及び下框端部キャップとを備え、上下框及び縦枠は、パネル縁部の取付け凹部を有しパネルに取付けてあると共に、上框は上枠に下框は下枠にそれぞれ固定してあり、上框端部キャップ及び下框端部キャップは、上框及び下框の召合わせ側端部にそれぞれ固定してあると共に、パネル縁部の取付け凹部を有しパネルに取り付けてあり、上框端部キャップ及び下框端部キャップの取付け凹部内の室外側側壁及び室内側側壁には、パネルの見付面を受ける湾曲状の受け部を設けてあることを特徴とする。
【０００６】
本発明による請求項３に係る障子では、パネルは、透光性の板状部と、板状部の召合わせ側縦縁部の室外側面及び室内側面の少なくともいずれか一方の側に、その上下方向に設けた透光性の補強部とからなり、湾曲状の受け部が、補強部の見付面を受けることを特徴とする。
【発明の効果】
【０００７】
本発明の請求項１及び２記載の障子によれば、パネルの縦框を取り付けていない召合わせ側の縦縁部の上下端部をそれぞれ端部キャップで補強するとともに、風圧による応力を受け部の湾曲部分で受けてパネルの風圧による変形に追従し、応力集中によるパネルの破損を防いで耐風圧力を向上することができる。
【０００８】
本発明の請求項３記載の障子によれば、召合わせ部に有する補強部材の上側端部を上框端部キャップの取付け凹部内に挿入してあると共に、下側端部を下框端部キャップの取付け凹部内に挿入してあることで、召合わせ部の強度をより高めることになる。補強部は手掛などに適用することもできる。
【発明を実施するための最良の形態】
【０００９】
以下、本発明の実施の形態を図面に基づいて説明をする。
第一実施形態は、本発明請求項１及び３の障子をテラスサッシ等の引き違い窓の内障子、外障子に適用したものである。図５は、本引き違い窓の正面図であり、図３は、図５のＡ−Ａ線縦断面図であり、図４は、図５のＢ−Ｂ線横断面図であり、図６は、図５のＣ−Ｃ線縦断面図であり、図７（ａ）は、室外側の障子１２の上框端部キャップ５ａの斜視図であり、図７（ｂ）は、下框端部キャップ６ａの斜視図であり、図８（ａ）（ｂ）は、図５に示す引戸障子のパネル４ａに風を受けた際の作用図である。本実施形態の引き違いサッシは、図５に示すように、透光性を有するパネル４ａ，４ｂの召合わせ側を除いた三方を上框１ａ，１ｂと下框２ａ、２ｂと戸当り框３ａ，３ｂで囲む部分に取り付けて固定した引戸障子１２,１３を室外側と室内側のそれぞれに配置している。図３に示すように、引戸障子１２，１３の上框１ａ，１ｂと下框２ａ,２ｂの召合わせ部１９ａ，１９ｂには、上框端部キャップ５ａ，５ｂと下框端部キャップ６ａ，６ｂを取り付けてあり、上框端部キャップ５ａ，５ｂと下框端部キャップ６ａ，６ｂにはそれぞれ取付け凹部１７ａ，１７ｂ，１７ｃ，１７ｄを有している。取付け凹部１７ａ，１７ｂ，１７ｃ，１７ｄには、受け部７ａ，７ｂ，７ｃ，７ｄ，１６ａ，１６ｂ，１６ｃ，１６ｄを、パネル４ａ，４ｂを挟んで各々の受け部７ａ，７ｂ，７ｃ，７ｄ，１６ａ，１６ｂ，１６ｃ，１６ｄの曲面３７ａ，３７ｂ，３７ｃ，３７ｄ，３７ｅ，３７ｆ，３７ｇ，３７ｈ同士が対峙する状態で、取付け凹部１７ａ，１７ｂ，１７ｃ，１７ｄ内の室外側と室内側とにそれぞれ備えたものである。図３中の符号９ａ，９ｂ，９ｃ，９ｄはシール材である。パネル４ａ，４ｂの召合わせ部１９ａ，１９ｂ以外の三方については図６のように、パネル４ａ，４ｂの上端部と下端部と戸当り側端部とをそれぞれ取付け凹部（溝）４８ａ，４８ｂ，４８ｃ，４８ｄ，４８ｅ，４８ｆにのみ込ませて上框１ａ，１ｂと下框２ａ，２ｂと戸当り框３ａ，３ｂ（戸当り框は図４参照）に保持しており、取付け凹部（溝）４８ａ，４８ｂ，４８ｃ，４８ｄ，４８ｅ，４８ｆとパネル４ａ，４ｂとの間にはシール材４９ａ，４９ｂ，４９ｃ，４９ｄ，４９ｅ，４９ｆを設けている。
【００１０】
召合わせ部１９ａ，１９ｂは図３と図４のように、室外側引戸障子１２は、室外側から順に、透光性を有する補強部（手掛部材）８ａ、同じく透光性を有するパネル４ａ、透光性を有する水密気密補助部材１８ａを配置しており、手掛部材８ａとパネル４ａは、上端部を上框１ａに取り付けた上框端部キャップ５ａの取付け凹部１７ａに嵌める一方、補強部（手掛部材）８ａとパネル４ａの下端部を下框２ａに取り付けた下框端部キャップ６ａの取付け凹部１７ｂに嵌めており、取付け凹部１７ａ，１７ｂ内に設けた室外側の受け部７ａ，７ｃは、曲面３７ａ，３７ｃを補強部（手掛部材）８ａ側に向けてあり、取付け凹部１７ａ，１７ｂ内に設けた室内側の受け部７ｂ，７ｄの曲面３７ｂ，３７ｄをパネル４ａ側に向けてある。一方、室内側引戸障子１３は、室内側から順に、透光性を有する補強部（手掛部材）８ｂ、透光性を有するパネル４ｂ、透光性を有する水密気密補助部材１８ｂを配置して、補強部（手掛部材）８ａとパネル４ａの上端部を上框１ｂに取り付けた上框端部キャップ５ｂの取付け凹部１７ｃに嵌める一方、補強部（手掛部材）８ｂとパネル４ｂの下端部を下框端部キャップ６ｂの取付け凹部１７ｄに嵌めており、取付け凹部１７ｃ，１７ｄ内に設けた室外側の受け部１６ａ，１６ｃの曲面３７ｅ，３７ｇ側をパネル４ｂの室外側見付面に向ける一方、室内側の受け部１６ｂ，１６ｄの曲面３７ｆ，３７ｈ側を補強部（手掛部材）８ｂ側に向けている。室外側引戸障子１２と室内側引戸障子１３のそれぞれの召合わせ部１９ａ，１９ｂとは、室内外方向に対称となるように配置してある。パネル４ａ，４ｂ及び補強部（手掛部材）８ａ，８ｂの材質はおもにガラスが適用される。尚、補強部（手掛部材）８ａ，８ｂは、召合わせ部１９ａ，１９ｂに設けることで、風圧への耐力が一層増すが、特に強度を要しない場合には必ずしも設けなくてもよい。補強部（手掛部材）８ａ，８ｂのパネル４ａ，４ｂの反対側に備える水密気密補助部材１８ａ，１８ｂについても同様に、上框端部キャップ５ａ，５ｂと下框端部キャップ６ａ，６ｂの取付け凹部１７ａ，１７ｂ，１７ｃ，１７ｄにのみ込ませて、受け部７ｂ，７ｄ，１６ａ，１６ｃに当接するようにしてもよい。そうすることで召合わせ部１９ａ，１９ｂの強度を一層強固に保つことができる。水密気密補助部材１８ａ，１８ｂはガラスを適用している。符号２０は水密気密部材であり、室内への水の浸入を防ぐようにしており、具体的にはシリコン系樹脂などの透光性材料が適用してある。
【００１１】
上框端部キャップ５ａ，５ｂは、室外側の引戸障子１２と室内側の引戸障子１３に適用するものを一緒に説明すると、図７（ａ）に示すように、引戸障子１２，１３の走行する方向を基準として方向を定めた場合、全体的には室外側、室内側及び障子走行方向の四方を側壁３４ａ，３４ｂ，３４ｃ，３４ｄで囲んだ方形をなし、上框端部キャップ５ａ，５ｂの側壁３４ａ，３４ｂ，３４ｃ，３４ｄに囲まれた部分は、下方側が開放する取付け凹部１７ａ，１７ｃを形成している。上框端部キャップ５ａ，５ｂの戸当り框３ａ，３ｂ側の側壁３４ａには縦に長い切欠Ｌを有しており、切欠Ｌにはパネル４ａ，４ｂの上端部が差し込まれる。上框１ａの取付け凹部（溝）４８ａ，４８ｃと上框端部キャップ５ａ，５ｂの取付け凹部１７ａ，１７ｃとは連通している。室外側引戸障子１２の下框端部キャップ６ａは図７（ｂ）のように、上框端部キャップ５ａ，５ｂと略同様の構成となるが、相違する部分として排水部１０を有しており、排水部１０は、室外側から室内側に向けて下方に傾斜する傾斜部３６を備えており、サッシ下枠側への排水を可能にしてある（図３参照）。下框端部キャップ６ａ，６ｂは、室外側と室内側の側壁３５ｂ，３５ｄと戸当り側と反対側の側壁３５ｃで三方を囲んで上方側に開放する取付け凹部１７ｂ，１７ｄを形成し、引戸障子１２の戸当り框側３５ａには側壁を設けておらず、シール材９ｃ，９ｄを充填して塞いでいるが、戸当り框側３５ａは、上框端部キャップ５ａ，５ｂ同様に側壁で遮ってもよい。下框端部キャップ６ａ，６ｂの取付け凹部１７ｂ，１７ｄと下框２ａ，２ｂの取付け凹部（溝）４８ｂ，４８ｄは連通している。室内側引戸障子１３の下框端部キャップ６ｂは、排水部を有していない点以外は室外側引戸障子１２の下框端部キャップ６ａと同様の構成となる。符号１１ａは、上框端部キャップ５ａを上框１ａに取り付けるための取付用孔であり、具体的には、上框端部キャップ５ａを上框１ａの召合わせ部１９ａに配置した際、上框１ａにおける引戸障子１２，１３の走行方向側の側端部に取付用孔１１ａが位置し、取付用孔１１ａにネジ止めすることで上框端部キャップ５ａ，５ｂを上框１ａ，１ｂに取り付けられる。符号１１ｂは下框端部キャップ６ａを下框２ａに取り付けるための取付用孔であり、上框端部キャップ５ａ，５ｂと同様の手順で下框２ａ，２ｂに取り付けられる。図７（ａ）中の符号２１は、上枠レールのみ込み用の切欠部である。
【００１２】
受け部７ａ，７ｂ，７ｃ，７ｄ，１６ａ，１６ｂ，１６ｃ，１６ｄは、本実施形態に適用するものすべてが同様の構成をなすことから、このうちの室外側引戸障子１２側のみについて説明すると図８（ａ）に示すように、垂直方向の軸を中心とする円柱を縦に割った形状をなしており、縦に割った切断面は上框端部キャップ５ａとの取付面となり、円周部分は曲面３７ａ，３７ｂとなる。まず上框端部キャップ５ａに備える受け部７ａ，７ｂについては、上框端部キャップ５ａの室外側の側壁３４ｂ及び室内側の側壁３４ｄのパネル４ａ（取付け凹部１７ａ内側）側に、曲面３７ａ，３７ｂ側を対向するように接着してあり、室外側の側壁３４ｂ側の受け部（以下、室外側受け部と記す。）７ａの曲面３７ａは、補強部（手掛部材）８ａの室外側見付面に当接する。室内側の側壁３４ｄ側の受け部（以下、室内側受け部と記す。）７ｂの曲面３７ｂは、室内側のパネル見付面３９ｂに当接する（図８（ａ）参照）。一方、下框端部キャップ６ａに備える受け部７ｃ，７ｄについては、曲面３７ｃ，３７ｄの向きなど上框端部キャップ５ａの構成と同様であり、室内側の引戸障子１３についても、室外側の引戸障子１２と室内外方向に対称な配置関係となるだけで、基本的な構成は同様のものであるから、ここでは説明を省略する。尚、本実施による受け部７ａ，７ｂ，７ｃ，７ｄ，１６ａ，１６ｂ，１６ｃ，１６ｄの曲面３７ａ，３７ｂ，３７ｃ，３７ｄ，３７ｅ，３７ｆ，３７ｇ，３７ｈのパネル４ａ，４ｂとの当接箇所を円弧状としているが、例えば、半円形など曲率の設定については特に限定するものではない。受け部７ａ，７ｂ，７ｃ，７ｄ，１６ａ，１６ｂ，１６ｃ，１６ｄは、実施形態のものは曲面３７ａ，３７ｂ，３７ｃ，３７ｄ，３７ｅ，３７ｆ，３７ｇ，３７ｈを切断したものを示しているが、これ以外にも例えば球を切断したものであってもよく、パネル見付面３９ａ，３９ｂと当たる側に凸状の曲面を有するものであればよい。受け部７ａ，７ｂ，７ｃ，７ｄ，１６ａ，１６ｂ，１６ｃ，１６ｄと上框端部キャップ５ａ及び下框端部キャップ６ａへの取り付けについて、本実施形態では接着しているが、例えば、上框端部キャップ５ａ，５ｂ及び下框端部キャップ６ａ，６ｂの室外側の側壁３４ｂと室内側の側壁３４ｄの内側からそれぞれ一体成形した円弧部を有する凸部を突出するなど、受け部７ａ，７ｂ,７ｃ,７ｄ,１６ａ,１６ｂ,１６ｃ,１６ｄと上框端部キャップ５ａあるいは下框端部キャップ６ａと一体的に形成してもよく、従って、受け部７ａ，７ｂ，７ｃ，７ｄ，１６ａ，１６ｂ，１６ｃ，１６ｄの取り付けの手段を特定するものではない。受け部７ａ，７ｂ，７ｃ，７ｄ，１６ａ，１６ｂ，１６ｃ，１６ｄは、パネル４ａ，４ｂに直接当たるように設けてもよいし、例えばパネル４ａ，４ｂとの間に補強部（手掛部材）８ａ，８ｂなどを挟んで間接的に当たるように設けてもよい。
【００１３】
以上のような引き違いサッシを構成する引戸障子が風を受けた際には、パネル４ａが室内側に湾曲し（図８（ｂ）参照）、上框端部キャップ５ａの取付け凹部１７ａでは、室内側のパネル見付面３９ｂを室内側受け部７ｂの曲面３７ｂによって受けることで、パネル４ａが変形に追従して負荷の集中がなくなり、パネル４ａの応力集中を逃がすことができる。尚、図面では室外側の引戸障子１２の上框端部キャップ５ａについてのみ示しているが、下框端部キャップ６ａ、室内側の引戸障子１３のそれぞれについても室外から風を受けた際には、室内側受け部７ｄ，１６ｂ，１６ｄの曲面３７ｄ，３７ｆ，３７ｈが、パネル４ａ，４ｂの湾曲変形に対応してパネル４ａ，４ｂを曲面３７ｄ，３７ｆ，３７ｈに沿って追従し、これによりパネル４ａ，４ｂの受ける応力の集中をなくすことができ、パネル４ａ、４ｂが室外側に湾曲する場合（負圧）であっても室外側のパネル見付面３９ａを受け部７ａ，７ｃ，１６ａ，１６ｃの曲面３７ａ，３７ｃ，３７ｅ，３７ｇによって受けることで、パネル４ａ，４ｂの応力集中を逃がすことができるようになる。
【００１４】
第二実施形態は、本請求項１の発明の障子を引き違い窓の外障子及び内障子に使用したものであり、パネル１０４に補強部を有しないものである。図１と図２に示すように、透光性を有するパネル１０４の三方側を上框１０１と下框１０２と戸当り框１０３で三方を枠組みした框に嵌合した引戸障子であり、上框１０１と下框１０２の召合わせ部１１９には、上框端部キャップ１０５と下框端部キャップ１０６を取り付けてあり、上框端部キャップ１０５と下框端部キャップ１０６は、取付け凹部１１７ａ、１１７ｂを有し、取付け凹部１１７ａ，１１７ｂの室外側側壁１３４ａ，１３４ｃと室内側側壁１３４ｂ，１３４ｄのそれぞれの内側には、受け部１０７ａ，１０７ｂ，１０７ｃ，１０７ｄがパネル１０４の室内外側を挟むように曲面１３７ａ、１３７ｂ、１３７ｃ，１３７ｄ同士を対峙して室外側と室内側とに備えたものである。パネル１０４の召合わせ部１１９以外の三方については、パネル１０４の上端部と下端部と戸当り側端部とを、それぞれ上下框１０１，１０２と戸当り框１０３の取付け凹部（溝）１４８ａ,１４８ｂ,１４８ｃにのみ込ませて、上框１０１と下框１０２と戸当り框１０３（戸当り框の取付け凹部１４８ｃは図２参照。）に保持している。符号１４６は、水密気密補助部材である。
【００１５】
第三実施形態は、本請求項１及び３の発明の障子を片引きサッシの嵌め殺し部に適用したものである。具体的には、障子１５２ａ，１５２ｂをサッシ枠１５４ａ、１５４ｂに収納し、障子１５２ａ，１５２ｂの框１５１ａ，１５１ｂとサッシ枠１５４ａ，１５４ｂとを固定部材１５３ａ，１５３ｂで固定することで嵌め殺し部としたものであり、固定部材の態様としては例えば図９（ａ）のように、ボルトのような固定部材１５３ａで障子１５２ａの框１５１ａをサッシ枠１５４ａに固定するものや、図９（ｂ）のように、引戸として可動可能な障子１５２ｂの框１５１ｂとサッシ枠１５４ｂとに跨るＬ型をなす固定部材１５３ｂなどを用いて固定することができる。
【００１６】
第四実施形態は、本請求項２の発明の障子を片引きサッシの嵌め殺し部に適用した例である。本実施形態による片引きサッシは図１０と図１１に示すように、透光性を有するパネル４４ａを上框１ｃと下框２ｃと戸当り框３ｃで嵌合した可動障子１４と、透光性を有するパネル４４ｂを上框１ｄと下框２ｄと縦枠３ｄとからなる召合わせ側縦枠を有しない三方でのみ込ませた嵌め殺し部１５とからなり、可動障子１４のパネル４４ａは、第一実施形態の引き違いサッシの引戸障子１２,１３と同様に、上框１ｃと下框２ｃと戸当り框３ｃのそれぞれに有する取付け凹部（溝）５０ａ,５０ｂ,５０ｃに嵌合してあり、嵌め殺し部１５のパネル４４ｂは上框１ｄ、下框２ｄ、縦枠３ｄの取付け凹部（溝）５０ｄ,５０ｅ,５０ｆに嵌合してある。可動障子１４の上框１ｃの召合わせ部４１ａには、上框端部キャップ５ｃを取り付けてあり、下框２ｃの召合わせ部４１ａには、下框端部キャップ６ｃが取り付けてある。上框端部キャップ５ｃと下框端部キャップ６ｃの取付け凹部４７ａ，４７ｂには、補強部（手掛部材）４５ａ及びパネル４４ａの上側端部と下側端部がそれぞれ嵌めてあり、上框端部キャップ５ｃ及び下框端部キャップ６ｃの取付け凹部４７ａ，４７ｂの室外側の側壁内側には、室外側受け部２５ａ，２５ｃを設けており、室外側受け部２５ａ，２５ｃは、曲面３８ａ，３８ｃが取付け凹部４７ａ，４７ｂ内の補強部（手掛部材）４５ａの室外側見付面に当たる状態で配置してある一方、上框端部キャップ５ｃ及び下框端部キャップ６ｃの取付け凹部４７ａ，４７ｂ内の室内側の側壁内側には、室内側受け部２５ｂ，２５ｄを設けており、室内側受け部２５ｂ，２５ｄは、曲面３８ｂ，３８ｄ側が取付け凹部４７ａ，４７ｂ内のパネル４４ａの室内側見付面３９ｄに当たる状態で配置してある。一方、嵌め殺し部１５の上框１ｄは上枠に取り付けており、上框１ｄは、上枠補助部材５２と押縁５４とからなっている。上框１ｄの召合わせ側には上框端部キャップ５ｄが取り付けてある。一方、嵌め殺し部１５の下框２ｄは下枠に取り付けており、下框２ｄには下枠補助部材５３を取付けており、召合わせ部４１ａ，４１ｂ側には下框端部キャップ６ｄが取り付けてある。上框端部キャップ５ｄと下框端部キャップ６ｄには取付け凹部４７ｃ，４７ｄを設けており、透光性を有するパネル４４ｂ及び透光性を有するパネルの補強部（方立補助部材）４５ｂの上側端部と下側端部が嵌めてあり、上框端部キャップ５ｄ及び下框端部キャップ６ｄの取付け凹部４７ｃの室外側の側壁内側には、室外側受け部２６ａ，２６ｃを設けており、室外側受け部２６ａ，２６ｃは、曲面３８ｅ，３８ｇがパネル４４ｂの室外側見付面３９ｅと当接するように配置してある一方、上框端部キャップ５ｄと下框端部キャップ６ｄの取付け凹部４７ｃ，４７ｄの室内側の側壁内側には、室内側受け部２６ｂ，２６ｄを設けており、室内側受け部２６ｂ，２６ｄは、曲面３８ｆ，３８ｈが補強部（方立補助部材）４５ｂの室内側見付面に当接するように配置してある。本発明の片引きサッシの嵌め殺し部１５のパネル４４ｂに風を受けた際の受け部２６ａ，２６ｂ，２６ｃ，２６ｄによるパネル４４ｂの受ける応力集中を逃す作用についても本発明の引き���いサッシの作用と同一であるため、ここでは説明を省略する。嵌め殺し部１５のパネル４４ｂは、引き違いサッシと同様、補強部（方立補助部材）４５ｂを設けることで風圧への耐力がより一層増すが、特に強度を要しない場合には補強部を必ずしも設けなくてもよい。符号５１は水密気密部材である。符号４６ａ,４６ｂは、水密気密補助部材であり、例えば上框端部キャップ５ｃ，５ｄと下框端部キャップ６ｃ，６ｄの取付け凹部４７ａ，４７ｂ,４７ｃ,４７ｄに嵌合すれば、召合わせ部４１ａ，４１ｂをより強固に保つことができる。片引きサッシの嵌め殺し部１５の上框端部キャップ５ｄと下框端部キャップ６ｄは、上下框１ｄ，２ｄの召合わせ側端部に配して、上枠、下枠に固定するものでもよい。可動障子１４及び嵌め殺し部１５のそれぞれの受け部２５ａ，２５ｂ，２５ｃ，２５ｄ，２６ａ，２６ｂ，２６ｃ，２６ｄの曲面３８ａ，３８ｂ，３８ｃ，３８ｄ，３８ｅ，３８ｆ，３８ｇ，３８ｈとパネル４４ａ，４４ｂ又は補強部（手掛部材）４５ａ又は方立補助部材４５ｂ（補強部）は、僅かに隙間を有していてもよい。
【図面の簡単な説明】
【００１７】
【図１】本発明の第１実施形態である引戸障子の縦断面図である。
【図２】図１の引戸障子の横断面図である。
【図３】図５のＡ−Ａ線縦断面図である。
【図４】図５のＢ−Ｂ線横断面図である。
【図５】本発明の第２実施形態である引き違いサッシの正面図である。
【図６】図５のＣ−Ｃ線縦断面図である。
【図７（ａ）（ｂ）】（ａ）は本発明の引き違いサッシの室外側の引戸障子の上框端部キャップを示す斜視図であり、（ｂ）は下框端部キャップの斜視図である。
【図８（ａ）（ｂ）】本発明の引戸障子の風を受けた際の作用を示す説明図である。
【図９（ａ）（ｂ）】本発明の第３実施形態の障子を適用した片引きサッシの横断面図である。
【図１０】本発明の第４実施形態である片引きサッシの縦断面図である。
【図１１】図１０の横断面図である。
【符号の説明】
【００１８】
８ａ，８ｂ，４５ａ，４５ｂ  手掛部材（補強部）
１０１  上框
１０２  下框
１０３  戸当り框
１０４  パネル
１０５  上框端部キャップ
１０６  下框端部キャップ
１０７ａ,１０７ｂ,１０７ｃ,１０７ｄ  受け部
１１７ａ，１１７ｂ  取付け凹部
１１９  召合わせ部
１３４ａ，１３４ｂ，１３４ｃ，１３４ｄ  側壁
１３７ａ,１３７ｂ,１３７ｃ,１３７ｄ  曲面
１３９ａ，１３９ｂ  パネル見付面
１４８ａ,１４８ｂ,１４８ｃ  取付け凹部（溝）
【図１】
2007191937.tif 000003
【図２】
2007191937.tif 000004
【図３】
2007191937.tif 000005
【図４】
2007191937.tif 000006
【図５】
2007191937.tif 000007
【図６】
2007191937.tif 000008
【図７（ａ）（ｂ）】
2007191937.tif 000009
【図８（ａ）（ｂ）】
2007191937.tif 000010
【図９（ａ）（ｂ）】
2007191937.tif 000011
【図１０】
2007191937.tif 000012
【図１１】
2007191937.tif 000013
【手続補正書】
【提出日】平成18年1月25日(2006.1.25)
【手続補正１】
【補正対象書類名】明細書
【補正対象項目名】００１６
【補正方法】変更
【補正の内容】
【００１６】
第四実施形態は、本請求項２の発明の障子を片引きサッシの嵌め殺し部に適用した例である。本実施形態による片引きサッシは図１０と図１１に示すように、透光性を有するパネル４４ａを上框１ｃと下框２ｃと戸当り框３ｃで嵌合した可動障子１４と、透光性を有するパネル４４ｂを上框１ｄと下框２ｄと縦枠３ｄとからなる召合わせ側縦枠を有しない三方でのみ込ませた嵌め殺し部１５とからなり、可動障子１４のパネル４４ａは、第一実施形態の引き違いサッシの引戸障子１２,１３と同様に、上框１ｃと下框２ｃと戸当り框３ｃのそれぞれに有する取付け凹部（溝）５０ａ,５０ｂ,５０ｃに嵌合してあり、嵌め殺し部１５のパネル４４ｂは上框１ｄ、下框２ｄ、縦枠３ｄの取付け凹部（溝）５０ｄ,５０ｅ,５０ｆに嵌合してある。可動障子１４の上框１ｃの召合わせ部４１ａには、上框端部キャップ５ｃを取り付けてあり、下框２ｃの召合わせ部４１ａには、下框端部キャップ６ｃが取り付けてある。上框端部キャップ５ｃと下框端部キャップ６ｃの取付け凹部４７ａ，４７ｂには、補強部（手掛部材）４５ａ及びパネル４４ａの上側端部と下側端部がそれぞれ嵌めてあり、上框端部キャップ５ｃ及び下框端部キャップ６ｃの取付け凹部４７ａ，４７ｂの室外側の側壁内側には、室外側受け部２５ａ，２５ｃを設けており、室外側受け部２５ａ，２５ｃは、曲面３８ａ，３８ｃが取付け凹部４７ａ，４７ｂ内の補強部（手掛部材）４５ａの室外側見付面に当たる状態で配置してある一方、上框端部キャップ５ｃ及び下框端部キャップ６ｃの取付け凹部４７ａ，４７ｂ内の室内側の側壁内側には、室内側受け部２５ｂ，２５ｄを設けており、室内側受け部２５ｂ，２５ｄは、曲面３８ｂ，３８ｄ側が取付け凹部４７ａ，４７ｂ内のパネル４４ａの室内側見付面３９ｄに当たる状態で配置してある。一方、嵌め殺し部１５の上框１ｄは上枠に取り付けており、上框１ｄは、上枠補助部材５２と押縁５４とからなっている。上框１ｄの召合わせ側には上框端部キャップ５ｄが取り付けてある。一方、嵌め殺し部１５の下框２ｄは下枠に取り付けており、召合わせ部４１ａ，４１ｂ側には下框端部キャップ６ｄが取り付けてある。上框端部キャップ５ｄと下框端部キャップ６ｄには取付け凹部４７ｃ，４７ｄを設けており、透光性を有するパネル４４ｂ及び透光性を有するパネルの補強部（方立補助部材）４５ｂの上側端部と下側端部が嵌めてあり、上框端部キャップ５ｄ及び下框端部キャップ６ｄの取付け凹部４７ｃの室外側の側壁内側には、室外側受け部２６ａ，２６ｃを設けており、室外側受け部２６ａ，２６ｃは、曲面３８ｅ，３８ｇがパネル４４ｂの室外側見付面３９ｅと当接するように配置してある一方、上框端部キャップ５ｄと下框端部キャップ６ｄの取付け凹部４７ｃ，４７ｄの室内側の側壁内側には、室内側受け部２６ｂ，２６ｄを設けており、室内側受け部２６ｂ，２６ｄは、曲面３８ｆ，３８ｈが補強部（方立補助部材）４５ｂの室内側見付面に当接するように配置してある。本発明の片引きサッシの嵌め殺し部１５のパネル４４ｂに風を受けた際の受け部２６ａ，２６ｂ，２６ｃ，２６ｄによるパネル４４ｂの受ける応力集中を逃す作用についても本発明の引き違いサッシの作用と同一であるため、ここでは説���を省略する。嵌め殺し部１５のパネル４４ｂは、引き違いサッシと同様、補強部（方立補助部材）４５ｂを設けることで風圧への耐力がより一層増すが、特に強度を要しない場合には補強部を必ずしも設けなくてもよい。符号５１は水密気密部材である。符号４６ａ,４６ｂは、水密気密補助部材であり、例えば上框端部キャップ５ｃ，５ｄと下框端部キャップ６ｃ，６ｄの取付け凹部４７ａ，４７ｂ,４７ｃ,４７ｄに嵌合すれば、召合わせ部４１ａ，４１ｂをより強固に保つことができる。片引きサッシの嵌め殺し部１５の上框端部キャップ５ｄと下框端部キャップ６ｄは、上下框１ｄ，２ｄの召合わせ側端部に配して、上枠、下枠に固定するものでもよい。可動障子１４及び嵌め殺し部１５のそれぞれの受け部２５ａ，２５ｂ，２５ｃ，２５ｄ，２６ａ，２６ｂ，２６ｃ，２６ｄの曲面３８ａ，３８ｂ，３８ｃ，３８ｄ，３８ｅ，３８ｆ，３８ｇ，３８ｈとパネル４４ａ，４４ｂ又は補強部（手掛部材）４５ａ又は方立補助部材４５ｂ（補強部）は、僅かに隙間を有していてもよい。
【手続補正２】
【補正対象書類名】図面
【補正対象項目名】図１０
【補正方法】変更
【補正の内容】
【図１０】
2007191937.tif 000014